(57)【要約】      （修正有）【課題】多様なサイズの物に用いることができる調光フィルムを提供する。【解決手段】調光フィルム１００は、印加電圧に応じて光学特性が変化する調光領域１と、調光領域１の周辺に設けられた周辺領域２と、周辺領域２に調光領域１を包囲するように配置されたシール部３とを備える。周辺領域２は、フィルムサイズを調整するための調整代として設けられたサイズ調整代領域であって、シール部３の最小幅Ｗｍよりも大きな幅Ｗｓを有するサイズ調整代領域を含む。【選択図】図２
2019168625.tif 000002
【特許請求の範囲】
【請求項１】
印加電圧に応じて光学特性が変化する調光領域と、
前記調光領域の周辺に設けられた周辺領域と、
を備えた調光フィルムであって、
前記周辺領域に前記調光領域を包囲するように配置されたシール部をさらに備え、
前記周辺領域は、フィルムサイズを調整するための調整代として設けられたサイズ調整代領域であって、前記シール部の最小幅Ｗｍよりも大きな幅Ｗｓを有するサイズ調整代領域を含む調光フィルム。
【請求項２】
前記サイズ調整代領域の幅Ｗｓは、前記シール部の最小幅Ｗｍの２倍以上である請求項１に記載の調光フィルム。
【請求項３】
前記シール部のうち、前記サイズ調整代領域内に位置する部分の幅Ｗｓ’は、前記シール部の最小幅Ｗｍよりも大きい請求項１または２に記載の調光フィルム。
【請求項４】
前記シール部の前記サイズ調整代領域内に位置する部分は、前記最小幅Ｗｍを有する部分と同じ第１シール材から形成された第１シール領域と、前記第１シール領域の外側に位置し、第２シール材から形成された第２シール領域とを含む請求項３に記載の調光フィルム。
【請求項５】
第１透明基板と、
前記第１透明基板に対向するように設けられた第２透明基板と、
前記調光領域において前記第１透明基板上に設けられた第１透明電極と、
前記周辺領域において前記第１透明基板上に設けられ、前記第１透明電極に電気的に接続された第１取り出し電極と、
をさらに備え、
前記調光領域と前記第１取り出し電極との間に、前記シール部のうちの前記最小幅Ｗｍを有する部分が位置している請求項１から４のいずれかに記載の調光フィルム。
【請求項６】
前記調光領域において前記第２透明基板上に設けられた第２透明電極と、
前記周辺領域において前記第２透明基板上に設けられ、前記第２透明電極に電気的に接続された第２取り出し電極と、
をさらに備え、
前記第２取り出し電極は、前記周辺領域のうちの前記第１取り出し電極が配置されている領域と同じ領域に配置されている請求項５に記載の調光フィルム。
【請求項７】
前記調光領域において前記第２透明基板上に設けられた第２透明電極と、
前記周辺領域において前記第２透明基板上に設けられ、前記第２透明電極に電気的に接続された第２取り出し電極と、
をさらに備え、
前記第２取り出し電極は、前記周辺領域のうちの前記第１取り出し電極が配置されている領域と異なる領域に配置されている請求項５に記載の調光フィルム。
【請求項８】
第１透明基板と、
前記第１透明基板に対向するように設けられた第２透明基板と、
前記調光領域において前記第１透明基板上に設けられた第１透明電極と、
前記周辺領域において前記第１透明基板上に設けられ、前記第１透明電極に電気的に接続された第１取り出し電極と、
前記調光領域において前記第２透明基板上に設けられた第２透明電極と、
前記周辺領域において前記第２透明基板上に設けられ、前記第２透明電極に電気的に接続された第２取り出し電極と、をさらに備え、
前記調光領域と前記第１取り出し電極との間に、前記シール部のうちの前記最小幅Ｗｍを有する部分が位置し、
前記調光領域と前記第２取り出し電極との間に、前記シール部のうちの前記最小幅Ｗｍを有する部分が位置し、
前記第１取り出し電極が前記第１透明電極上に設けられている位置は、前記調光領域の厚さ方向において、前記第２透明電極と重ならず、
前記第２取り出し電極が前記第２透明電極上に設けられている位置は、前記調光領域の厚さ方向において、前記第１透明電極と重ならない請求項１から４のいずれかに記載の調光フィルム。
【請求項９】
前記第１取り出し電極は、前記シール部のうち前記最少幅Ｗｍを有する部分から前記調光領域の外側に延びる前記第１透明電極上の領域に設けられ、
前記第２透明電極は、前記調光領域の厚さ方向において、前記領域に重ならないように、前記シール部のうち前記最少幅Ｗｍを有する部分から前記調光領域の外側に延びる部分を有しない、請求項８に記載の調光フィルム。
【請求項１０】
前記調光領域は、略矩形状である請求項１から９のいずれかに記載の調光フィルム。
【請求項１１】
前記周辺領域は、第１辺部、第２辺部、第３辺部および第４辺部を有する枠状であり、前記第１辺部、前記第２辺部、前記第３辺部および前記第４辺部のうちの少なくとも１つが、前記サイズ調整代領域である請求項１０に記載の調光フィルム。
【請求項１２】
前記第１辺部、前記第２辺部、前記第３辺部および前記第４辺部のうちの少なくとも互いに略直交する２つが、前記サイズ調整代領域である請求項１１に記載の調光フィルム。
【請求項１３】
前記調光領域は、非矩形状である請求項１から９のいずれかに記載の調光フィルム。
【請求項１４】
前記サイズ調整代領域は、少なくとも１つの貫通孔を有する請求項１から１３のいずれかに記載の調光フィルム。
【請求項１５】
前記少なくとも１つの貫通孔から前記調光領域までの距離は、前記シール部の最小幅Ｗｍよりも大きい請求項１４に記載の調光フィルム。
【請求項１６】
前記調光領域と前記シール部との色差ΔＥ＊が３．２以下である請求項１から１５のいずれかに記載の調光フィルム。
【請求項１７】
前記調光領域は、エレクトロクロミック素子を含む請求項１から１６のいずれかに記載の調光フィルム。
【請求項１８】
透光板と、
前記透光板に貼り合わされた請求項１から１７のいずれかに記載の調光フィルムと、
を備えるスマートウィンドウ。
【請求項１９】
前記調光フィルムの前記サイズ調整代領域が折り曲げられているか、または、折り畳まれている請求項１８に記載のスマートウィンドウ。
【請求項２０】
躯体と、
前記躯体に取り付けられた透明シートと、
前記透明シートに重なるように配置された請求項１から１７のいずれかに記載の調光フィルムと、
を備えるビニールハウス。
【発明の詳細な説明】
【技術分野】
【０００１】
本開示は、調光フィルムに関する。また、本開示は、調光フィルムを備えたスマートウィンドウおよびビニールハウスにも関する。
【背景技術】
【０００２】
近年、電気的に光透過率を制御することができる調光窓（「スマートウィンドウ」と呼ばれる）が実用化されている。スマートウィンドウの一種として、赤外光の透過率を制御可能なタイプが提案されている。特許文献１は、赤外タイプのスマートウィンドウに用いられるエレクトロクロミック素子を開示している。
【０００３】
特許文献１には、エレクトロクロミック素子の基板として、プラスチック基板を用いてもよいことが記載されている。プラスチック基板のような可撓性基板を用いることにより、フィルム状の調光素子（調光フィルム）を実現することができる。このような調光フィルムを窓ガラスに貼り付けることにより、スマートウィンドウを作製することができる。
【先行技術文献】
【特許文献】
【０００４】
【特許文献１】国際公開第２０１７／１４１５２８号
【特許文献２】特開昭６３−２４９８２６号公報
【発明の概要】
【発明が解決しようとする課題】
【０００５】
しかしながら、窓の規格化されているサイズは多様である。そのため、量産時に製造すべき調光フィルムのサイズも多様化し、非効率な生産となってしまう。例えば、一般に普及している引違い窓のうち、高さが９７０ｍｍの窓には、幅の異なるバリエーションが１５種類以上も存在するので、１５種類以上の調光フィルムを製造する必要がある。
【０００６】
特許文献２には、樹脂材料を硬化させることによって形成された電解質層を備えたエレクトロクロミック素子が開示されている。特許文献２のエレクトロクロミック素子は、電解質層が固体化されているので、所望のサイズに切断して使用することができるとされている。
【０００７】
しかしながら、特許文献２のエレクトロクロミック素子を所望のサイズに切断した場合、最外周部に電解質層が露出する。電解質層の材料は、防湿材料ではない。そのため、特許文献２のエレクトロクロミック素子をスマートウィンドウやビニールハウスに用いる場合、結露等が原因で動作不良が起こることが懸念される。
【０００８】
本開示は、上記問題に鑑みてなされたものであり、その目的は、多様なサイズの物に用いることができる調光フィルムを提供することにある。
【課題を解決するための手段】
【０００９】
本開示の実施形態による調光フィルムは、印加電圧に応じて光学特性が変化する調光領域と、前記調光領域の周辺に設けられた周辺領域と、を備えた調光フィルムであって、前記周辺領域に前記調光領域を包囲するように配置されたシール部をさらに備え、前記周辺領域は、フィルムサイズを調整するための調整代として設けられたサイズ調整代領域であって、前記シール部の最小幅Ｗｍよりも大きな幅Ｗｓを有するサイズ調整代領域を含む。
【００１０】
ある実施形態において、前記サイズ調整代領域の幅Ｗｓは、前記シール部の最小幅Ｗｍの２倍以上である。
【００１１】
ある実施形態において、前記シール部のうち、前記サイズ調整代領域内に位置する部分の幅Ｗｓ’は、前記シール部の最小幅Ｗｍよりも大きい。
【００１２】
ある実施形態において、前記シール部の前記サイズ調整代領域内に位置する部分は、前記最小幅Ｗｍを有する部分と同じ第１シール材から形成された第１シール領域と、前記第１シール領域の外側に位置し、第２シール材から形成された第２シール領域とを含む。
【００１３】
ある実施形態において、前記調光フィルムは、第１透明基板と、前記第１透明基板に対向するように設けられた第２透明基板と、前記調光領域において前記第１透明基板上に設けられた第１透明電極と、前記周辺領域において前記第１透明基板上に設けられ、前記第１透明電極に電気的に接続された第１取り出し電極と、をさらに備え、前記調光領域と前記第１取り出し電極との間に、前記シール部のうちの前記最小幅Ｗｍを有する部分が位置している。
【００１４】
ある実施形態において、前記調光フィルムは、前記調光領域において前記第２透明基板上に設けられた第２透明電極と、前記周辺領域において前記第２透明基板上に設けられ、前記第２透明電極に電気的に接続された第２取り出し電極と、をさらに備え、前記第２取り出し電極は、前記周辺領域のうちの前記第１取り出し電極が配置されている領域と同じ領域に配置されている。
【００１５】
ある実施形態において、前記調光領域において前記第２透明基板上に設けられた第２透明電極と、前記周辺領域において前記第２透明基板上に設けられ、前記第２透明電極に電気的に接続された第２取り出し電極と、をさらに備え、前記第２取り出し電極は、前記周辺領域のうちの前記第１取り出し電極が配置されている領域と異なる領域に配置されている。
【００１６】
ある実施形態において、前記調光フィルムは、第１透明基板と、前記第１透明基板に対向するように設けられた第２透明基板と、前記調光領域において前記第１透明基板上に設けられた第１透明電極と、前記周辺領域において前記第１透明基板上に設けられ、前記第１透明電極に電気的に接続された第１取り出し電極と、前記調光領域において前記第２透明基板上に設けられた第２透明電極と、前記周辺領域において前記第２透明基板上に設けられ、前記第２透明電極に電気的に接続された第２取り出し電極と、をさらに備え、前記調光領域と前記第１取り出し電極との間に、前記シール部のうちの前記最小幅Ｗｍを有する部分が位置し、前記調光領域と前記第２取り出し電極との間に、前記シール部のうちの前記最小幅Ｗｍを有する部分が位置し、前記第１取り出し電極が前記第１透明電極上に設けられている位置は、前記調光領域の厚み方向において、前記第２透明電極と重ならず、前記第２取り出し電極が前記第２透明電極上に設けられている位置は、前記調光領域の厚さ方向において、前記第１透明電極と重ならない。
【００１７】
ある実施形態において、前記調光フィルムは、前記シール部のうち前記最少幅Ｗｍを有する部分から調光領域の外側に延長した前記第１透明電極上の第１周辺領域に前記第１取り出し電極が設けられ、前記調光領域の厚さ方向において、前記第２透明電極は、前記第１周辺領域と重ならないように前記シール部のうち前記最少幅Ｗｍを有する部分から調光領域の外側に延長する部分を設けない。
【００１８】
ある実施形態において、前記調光領域は、略矩形状である。
【００１９】
ある実施形態において、前記周辺領域は、第１辺部、第２辺部、第３辺部および第４辺部を有する枠状であり、前記第１辺部、前記第２辺部、前記第３辺部および前記第４辺部のうちの少なくとも１つが、前記サイズ調整代領域である。
【００２０】
ある実施形態において、前記第１辺部、前記第２辺部、前記第３辺部および前記第４辺部のうちの少なくとも互いに略直交する２つが、前記サイズ調整代領域である。
【００２１】
ある実施形態において、前記調光領域は、非矩形状である。
【００２２】
ある実施形態において、前記サイズ調整代領域は、少なくとも１つの貫通孔を有する。
【００２３】
ある実施形態において、前記少なくとも１つの貫通孔から前記調光領域までの距離は、前記シール部の最小幅Ｗｍよりも大きい。
【００２４】
ある実施形態において、前記調光領域と前記シール部との色差ΔＥ＊が３．２以下である。
【００２５】
ある実施形態において、前記調光領域は、エレクトロクロミック素子を含む。
【００２６】
本開示の実施形態によるスマートウィンドウは、透光板と、前記透光板に貼り合わされた前記調光フィルムと、を備える。
【００２７】
ある実施形態において、前記調光フィルムの前記サイズ調整代領域が折り曲げられているか、または、折り畳まれている。
【００２８】
本開示の実施形態によるビニールハウスは、躯体と、前記躯体に取り付けられた透明シートと、前記透明シートに重なるように配置された前記調光フィルムと、を備える。
【発明の効果】
【００２９】
本開示の実施形態によると、多様なサイズの物に用いることができる調光フィルムを提供することができる。
【図面の簡単な説明】
【００３０】
【図１】本開示の実施形態における調光フィルム１００を模式的に示す平面図である。
【図２】調光フィルム１００を模式的に示す平面図である。
【図３】調光フィルム１００を模式的に示す断面図であり、図２中の３Ａ−３Ａ’線に沿った断面を示している。
【図４】調光フィルム１００のサイズ調整の例を示す図である。
【図５】調光フィルム１００のサイズ調整の他の例を示す図である。
【図６】調光フィルム１００のサイズ調整のさらに他の例を示す図である。
【図７】（ａ）および（ｂ）は、それぞれ調光フィルム１００のサイズ調整代領域ＳＲの切断箇所の例を示す図である。
【図８】調光フィルム１００を模式的に示す平面図である。
【図９】本開示の実施形態における調光フィルム２００を模式的に示す断面図である。
【図１０】本開示の実施形態における調光フィルム３００Ａを模式的に示す平面図である。
【図１１】本開示の実施形態における調光フィルム３００Ｂを模式的に示す平面図である。
【図１２】本開示の実施形態における調光フィルム３００Ｃを模式的に示す平面図である。
【図１３】本開示の実施形態における調光フィルム４００を模式的に示す平面図である。
【図１４】本開示の実施形態における調光フィルム４００を模式的に示す断面図であり、図１３中の１４Ａ−１４Ａ’線に沿った断面を示している。
【図１５】（ａ）は、本開示の実施形態における調光フィルム５００を模式的に示す断面図であり、（ｂ）は、調光フィルム５００のサイズ調整代領域ＳＲを上方から見た図である。
【図１６】本開示の実施形態における調光フィルム６００を模式的に示す断面図である。
【図１７】第１透明電極１３および第２透明電極１４を電源１９に電気的に接続するための配線構造の例を示す平面図である。
【図１８】第１透明電極１３および第２透明電極１４を電源１９に電気的に接続するための配線構造の例を示す平面図である。
【図１９】本開示の実施形態におけるスマートウィンドウ７００Ａを模式的に示す断面図である。
【図２０】本開示の実施形態におけるスマートウィンドウ７００Ｂを模式的に示す断面図である。
【図２１】本開示の実施形態におけるビニールハウス８００を模式的に示す斜視図である。
【図２２】本開示の実施形態におけるビニールハウス８００を模式的に示す断面図である。
【発明を実施するための形態】
【００３１】
以下、図面を参照しながら本開示の実施形態を説明する。なお、本開示は以下の実施形態に限定されるものではない。
【００３２】
（実施形態１）
図１を参照しながら、本実施形態における調光フィルム１００を説明する。図１は、調光フィルム１を模式的に示す平面図である。
【００３３】
調光フィルム１００は、図１に示すように、調光領域１と、調光領域１の周辺に設けられた周辺領域２とを備える。
【００３４】
調光領域１は、印加電圧に応じて光学特性（例えば光透過率）が変化する領域である。本実施形態では、調光領域１は、後述するようにエレクトロクロミック素子を含む。調光領域１は、略矩形状である。
【００３５】
周辺領域２は、枠状（額縁状）である。枠状の周辺領域２の、４つの辺に対応する部分２ａ、２ｂ、２ｃおよび２ｄを、ここでは「第１辺部」、「第２辺部」、「第３辺部」および「第４辺部」と呼ぶ。第１辺部２ａ、第２辺部２ｂ、第３辺部２ｃおよび第４辺部２ｄは、それぞれ下辺、上辺、左辺および右辺に対応した部分である。
【００３６】
図２および図３を参照しながら、調光フィルム１００の構成をより具体的に説明する。図２および図３は、それぞれ調光フィルム１００を模式的に示す平面図および断面図である。図３は、図２中の３Ａ−３Ａ’線に沿った断面を示している。
【００３７】
調光フィルム１００は、図２および図３に示すように、周辺領域２に調光領域１を包囲するように配置されたシール部３をさらに備える。本実施形態では、調光領域１が略矩形状であるので、シール部３は枠状（額縁状）である。なお、以下では、周辺領域２のうち、シール部３が配置されていない部分４を「非シール部」と呼ぶこともある。
【００３８】
また、調光フィルム１００は、図３に示すように、第１透明基板１１、第２透明基板１２、第１透明電極１３、第２透明電極１４、ナノ結晶層１５、電解質層１６、第１取り出し電極１７および第２取り出し電極１８を備える。
【００３９】
第１透明基板１１および第２透明基板１２は、互いに対向するように設けられている。第１透明基板１１および第２透明基板１２は、それぞれ可撓性を有する。
【００４０】
第１透明電極１３は、調光領域１において第１透明基板１１上（より具体的には第１透明基板１１の第２透明基板１２側の主面上）に設けられている。第２透明電極１４は、調光領域１において第２透明基板１２上（より具体的には第２透明基板１２の第１透明基板１１側の主面上）に設けられている。
【００４１】
ナノ結晶層１５は、第１透明電極１３の第２透明電極１４側の表面上に設けられている。ナノ結晶層１５は、複数の金属酸化物ナノ粒子を含む。金属酸化物ナノ粒子は、数ｎｍ〜数十ｎｍの粒径を有する粒子状の結晶体（ナノ結晶）である。
【００４２】
電解質層１６は、ナノ結晶層１５と第２透明電極１４との間に設けられている。電解質層１６は、シール部３によって包囲されている。
【００４３】
第１取り出し電極１７は、周辺領域２において第１透明基板１１上に設けられている。第１取り出し電極１７は、第１透明電極１３に電気的に接続されている。第２取り出し電極１８は、周辺領域２において第２透明基板１２上に設けられている。第２取り出し電極１８は、第２透明電極１４に電気的に接続されている。第２取り出し電極１８は、周辺領域２のうちの第１取り出し電極１７が配置されている領域と同じ領域に配置されている。図示している例では、第１取り出し電極１７および第２取り出し電極１８は、周辺領域２のうちの第１辺部（下辺部）２ａに配置されている。第１取り出し電極１７および第２取り出し電極１８は、電源１９に接続されている。
【００４４】
ナノ結晶層１５に含まれる金属酸化物ナノ粒子は、エレクトロクロミック材料である。そのため、ナノ結晶層１５の透過スペクトルは、第１透明電極１３と第２透明電極１４との間に印加された電圧に応じて変化する。この透過スペクトルの変化は、近赤外領域における透過率変化を伴っている。従って、本実施形態の調光領域１（エレクトロクロミック素子）は、近赤外光の透過率を制御することができる。本願明細書において、近赤外領域は、波長が約８００ｎｍ以上約２５００ｎｍ以下の範囲を指す。太陽から放射される赤外光の大部分は近赤外光であるので、近赤外光の透過率を制御することにより、太陽光による日射熱の取得率を制御することができる。例えば、夏期には近赤外光の室内への入射を防ぐことができ、冬期には近赤外光を室内に取り込むことができる。
【００４５】
金属酸化物ナノ粒子としては、例えば、アンチモンドープ酸化錫（Antimony-doped Tin Oxide：ＡＴＯ）ナノ粒子や、錫ドープ酸化インジウム（Tin doped Indium Oxide）ナノ粒子を好適に用いることができる。ナノ結晶層１５がエレクトロクロミズムを示す原理については後述する。なお、ナノ結晶層１５の透過スペクトルの変化は、近赤外領域における透過率変化だけでなく、可視領域（約４００ｎｍ以上約８００ｎｍ以下の範囲）における透過率変化を伴っていてもよい。
【００４６】
本実施形態の調光フィルム１００では、周辺領域２は、調光フィルム１００のサイズ（フィルムサイズ）を調整するための調整代として設けられた領域（以下では「サイズ調整代領域」と呼ぶ）を含む。サイズ調整代領域は、シール部３の最小幅Ｗｍよりも大きな幅Ｗｓを有する。図示している例では、シール部３は、周辺領域２の第１辺部（下辺部）２ａにおいて最小幅Ｗｍを有しており、調光領域１と第１取り出し電極１７との間に、シール部３のうちの最小幅Ｗｍを有する部分が位置している。また、周辺領域２のうちの少なくとも第２辺部（上辺部）２ｂが、最小幅Ｗｍよりも大きな幅Ｗｓを有している。従って、周辺領域２のうち、少なくとも第２辺部２ｂをサイズ調整代領域として用いることができる。調光フィルム１００のサイズ調整代領域の一部を、例えばシール部３の最小幅Ｗｍを下回らない範囲で切断して除去することにより、フィルムサイズを調整することができる。
【００４７】
図４に、フィルムサイズの調整の例を示す。図４に示す例では、サイズ調整代領域ＳＲ（周辺領域２の第２辺部２ｂ）を切断線ＣＬで切断することにより、フィルムサイズの調整が行われる。
【００４８】
上述したように、本実施形態の調光フィルム１００では、周辺領域２が、シール部３の最小幅Ｗｍよりも大きな幅Ｗｓを有するサイズ調整代領域ＳＲを含んでいるので、調光フィルム１００が貼り付けられるべき物（例えば窓）のサイズに応じてフィルムサイズを調整することができる。そのため、本実施形態の調光フィルム１００は、多様なサイズの物に用いることができる。つまり、あらかじめ物のサイズに厳密に対応したサイズで調光フィルム１００を製造しておく必要がなく、また、作業現場でのフィルムサイズの微調整も容易となる。さらに、サイズ調整代領域ＳＲは、周辺領域２に含まれているので、特許文献２のエレクトロクロミック素子とは異なり、サイズ調整を行っても電解質層１６が最外周部に露出することはなく、電解質層１６はシール部３で覆われたままである。そのため、湿度等による動作不良の発生も抑制される。
【００４９】
なお、図４には、周辺領域２の４つの辺部２ａ〜２ｄのうちの１つ（第２辺部２ｂ）をサイズ調整代領域ＳＲとして利用する例を示したが、周辺領域２の他の辺部をサイズ調整代領域ＳＲとして利用することもできる。例えば、図５に示すように、周辺領域２の２つの辺部（ここでは第２辺部２ｂおよび第３辺部２ｃ）をサイズ調整代領域ＳＲとして利用してもよいし、図６に示すように、周辺領域２の３つの辺部（第２辺部２ｂ、第３辺部２ｃおよび第４辺部２ｄ）をサイズ調整代領域ＳＲとして利用してもよい。つまり、周辺領域２のうち、シール部３の最小幅Ｗｍよりも大きな幅を有する部分であって、取り出し電極（第１取り出し電極１７および第２取り出し電極１８）が設けられていない部分を、サイズ調整代領域ＳＲとして好適に用いることができる。
【００５０】
フィルムサイズの調整幅を大きくする観点からは、周辺領域２のなるべく多くの辺部をサイズ調整代領域ＳＲとすることが好ましい。また、サイズ調整代領域ＳＲが、互いに略直交する２つの辺部を含むことにより、縦方向および横方向の両方においてフィルムサイズの調整が可能となる。
【００５１】
サイズ調整代領域ＳＲの切断は、図７（ａ）に示すように、シール部３において行われてもよいし、図７（ｂ）に示すように、非シール部４において行われてもよい。ただし、以下に説明する理由から、サイズ調整代領域ＳＲはシール部３で切断されることが好ましい。非シール部４で切断を行った場合、切断後の端部においては、第１透明基板１１と第２透明基板１２との間に、第１透明基板１１および第２透明基板１２と屈折率が大きく異なる空気層が介在することになるので、それらの界面における界面反射が懸念される。また、第１透明基板１１および第２透明基板１２の全面に（つまり端まで）第１透明電極１３および第２透明電極１４が形成されている場合には、それらの短絡も懸念される。サイズ調整代領域ＳＲをシール部３で切断することにより、上述したような界面反射や短絡の発生を防止できる。
【００５２】
シール部３の最小幅Ｗｍは、１ｍｍ以上であることが好ましい。シール部３の最小幅Ｗｍが１ｍｍ以上であると、電解質層１６からの電解質（典型的には電解液である）の漏洩をより確実に防止することができる。
【００５３】
また、フィルムサイズの調整幅を大きくする観点からは、サイズ調整代領域ＳＲの幅Ｗｓは、ある程度大きいことが好ましい。具体的には、幅Ｗｓは、２ｍｍ以上であることが好ましく、２１ｍｍ以上であることがより好ましい。つまり、サイズ調整代領域ＳＲの幅Ｗｓは、シール部３の最小幅Ｗｍの２倍以上であることが好ましく、２１倍以上であることがより好ましい。
【００５４】
また、シール部３のうち、サイズ調整代領域ＳＲ内に位置する部分の幅Ｗｓ’（図２参照）は、シール部３の最小幅Ｗｍと同じであってもよいが、シール部３で切断を行う場合があることを考慮すると（シール部３で切断した場合の電解質の漏洩をより確実に抑制する観点からは）、シール部３の最小幅Ｗｍよりも大きいことが好ましく、シール部３の最小幅Ｗｍの２倍以上であることがより好ましく、２１倍以上であることがさらに好ましい。
【００５５】
なお、周辺領域２の複数の辺部をサイズ調整代領域ＳＲとして用いる場合、それらの辺部の幅は、同じであってもよいし、異なっていてもよい。例えば、図８に示すように、周辺領域２の第２辺部２ｂ、第３辺部２ｃおよび第４辺部２ｄをサイズ調整代領域ＳＲとして用いる場合、第２辺部２ｂの幅Ｗｓｂ、第３辺部２ｃの幅Ｗｓｃおよび第４辺部２ｄの幅Ｗｓｄは、互いに同じであってもよいし、互いに異なっていてもよい。また、シール部３のうち、周辺領域２の第２辺部２ｂ、第３辺部２ｃおよび第４辺部２ｄ内に位置する部分の幅Ｗｓｂ’、Ｗｓｃ’およびＷｓｄ’は、互いに同じであってもよいし、異なっていてもよい。
【００５６】
既に説明したように、例示している調光領域１は、ナノ結晶層１５を含むエレクトロクロミック素子を含んでいる。以下、ナノ結晶層１５がエレクトロクロミズムを示す原理や、エレクトロクロミック素子の各構成要素の具体例、好ましい構成などを説明する。
【００５７】
［ナノ結晶層の動作原理］
ＩＴＯ（Tin doped Indium Oxide）ナノ結晶層などの透明導電性酸化物（Transparent Conducting Oxide：ＴＣＯ）ナノ構造体に電子を注入することによって、近赤外領域の透過スペクトルを変化させ得ることが知られている。その原理は、端的に言えば、ＴＣＯナノ構造体の局在表面プラズモン共鳴（ＬＳＰＲ）による吸収波長を、電圧印加によってシフトさせることである。以下、より詳細に説明する。
【００５８】
ＬＳＰＲの共鳴周波数は、プラズマ周波数ωpに比例する。プラズマ周波数ωpは、下記式で表わされる。
ωp２＝Ｎ・ｅ２／（ｍ・ε０）
【００５９】
ここで、Ｎは電子密度、ｅは電子の電荷、ｍは電子の有効質量、ε０は真空の誘電率である。従って、ＴＣＯナノ構造体に負電圧を印加して電子密度を高くすると、プラズマ周波数ωpが大きくなるので、ＬＳＰＲの共鳴周波数も大きくなる。そのため、ＬＳＰＲの共鳴波長は短くなる（つまり短波長側にシフトする）。ＴＣＯナノ構造体のキャリア密度を調整することにより、ＬＳＰＲの共鳴波長を近赤外領域に設定できるので、近赤外領域における透過スペクトルを変化させることが可能となる。
【００６０】
なお、このように透過スペクトルを変化させる機能は、ＩＴＯナノ粒子を含むＩＴＯナノ結晶層だけに特有のものではない。ナノ粒子が、ＬＳＰＲが生じるようなサイズ（例えば１００ｎｍ以下）であり、且つ、ナノ結晶層が透明電極からの電子を注入され得るような構成であれば、原理的には上述した機能を奏し得る。
【００６１】
［ナノ結晶層］
金属酸化物ナノ粒子の材料として用いられる金属酸化物は、例示したＡＴＯおよびＩＴＯに限定されるものではない。例えば、ＡＺＯ（Aluminum-doped Zinc Oxide：アルミニウムドープ酸化亜鉛）やＧＺＯ（Gallium-doped Zinc Oxide：ガリウムドープ酸化亜鉛）等の可視領域においてほぼ透明な材料を用いることができる。また、ＣｓｘＷｙＯ３（ｘ、ｙは組成比を示す）で表されるような複合タングステン酸化物や六ホウ化ランタンなどのような、可視領域の光を吸収する材料を用いることもできる。
【００６２】
金属酸化物ナノ粒子の平均粒径は、典型的には、０．１ｎｍ以上１０００ｎｍ以下である。ただし、金属酸化物ナノ粒子の平均粒径が大きすぎると、動作しにくくなるおそれがあるので、動作のしやすさの観点からは、金属酸化物ナノ粒子の平均粒径は、３０ｎｍ以下であることが好ましい。
【００６３】
ナノ結晶層１５のそれぞれの厚さは、典型的には、１００Å以上５００００Å以下である。
【００６４】
ナノ結晶層１５の形成方法に特に限定はない。金属酸化物ナノ粒子が分散された液体または半固体を第１透明電極１３上に塗布し、焼成を行うことによって、ナノ結晶層１５を形成することができる。金属酸化物ナノ粒子の分散液をスピンコート法により塗布してもよいし、ビヒクルを適度に添加されたペーストを用いた印刷法により塗布してもよい。また、バーコート法、スリットコート法、グラビアコート法またはダイコート法により塗布を行ってもよい。焼成温度が、ナノ結晶表面にある有機成分が除去されて焼結が好適に生じる温度であれば、十分な耐溶剤性が得られる。ただし、焼成温度が高すぎ、焼結が過度に進むと、所望の波長のＬＳＰＲが得られないおそれがある。ＩＴＯナノ粒子を含むナノ結晶層をスピンコート法により形成する場合、焼成は、例えば２００℃以上３００℃以下の温度で６０分間行われる。
【００６５】
また、ナノ結晶層１５は、第１透明電極１３との結着性を向上させるために、バインダーとして、ポリフッ化ビニリデン（ＰＶＤＦ）等の溶剤系バインダーやスチレン・ブタジエンゴム等の水系バインダー、光硬化樹脂、熱硬化樹脂等を含んでもよい。
【００６６】
また、本実施形態では、ナノ結晶層１５が第１透明電極１３上にのみ形成されているが、第１透明電極１３上だけでなく、第２透明電極１４のナノ結晶層１５側の表面上にもナノ結晶層が設けられていてもよい。つまり、調光フィルム１００は、電解質層１６を介して対向する一対のナノ結晶層を備えていてもよい。
【００６７】
［基板］
第１透明基板１１および第２透明基板１２としては、ＰＥＴ（ポリエチレンテレフタレート）やＰＥＮ（ポリエチレンナフタレート）、ポリイミドなどの樹脂材料から形成されたプラスチック基板を用いることができる。例示したこれらの基板に、無機材料または有機材料から形成されたガスバリア層が設けられたものを用いてもよい。ナノ結晶層を形成する工程が焼成工程を含む場合、プラスチック基板としては、耐熱性が高いポリイミド基板を用いることが好ましい。
【００６８】
［透明電極］
第１透明電極１３および第２透明電極１４の材料としては、ＩｎＴｉＯの他、アナターゼ型二酸化チタンをシード層としたタンタル置換酸化スズやキャリア密度を調整したＩＴＯ等の近赤外光を透過する材料を用いることができる。これらの材料を、スパッタ法や蒸着法、塗布法などにより第１透明基板１１および第２透明基板１２上に堆積することによって、第１透明電極１３および第２透明電極１４を形成することができる。
【００６９】
また、第１透明電極１３および第２透明電極１４の材料は、遠赤外光を反射する特性を有することが好ましい。冬期に室内の温度を高く保つためには、室内から屋外に赤外光が出ることを防ぐ必要がある。室内から輻射される赤外光は、波長が１０μｍ程度の、遠赤外光に分類されるものである。そのため、第１透明電極１３および第２透明電極１４が遠赤外光を反射する特性を有していると、近赤外光の透過率が高くなるようにナノ結晶層の状態を制御しても、室内の熱は輻射熱として屋外に逃げない、理想的な状態を実現することができる。また、夏期に近赤外光の透過率が低くなるように制御したときも、屋外からの遠赤外光が室内に入ることを防止できるので、やはり理想的な状態を実現できる。
【００７０】
なお、サイズ調整代領域ＳＲにおける短絡を防止するために、第１透明電極１３および第２透明電極１４の、サイズ調整代領域ＳＲ内に位置する部分をエッチング等により除去してもよい。
【００７１】
［電解質層］
電解質層１６は、例えば電解液で構成される。電解液の電解質としては、ヘキサフルオロリン酸リチウム（ＬｉＰＦ６）やヘキサフルオロリン酸ナトリウム（ＮａＰＦ６）、ホウフッ化リチウム（ＬｉＢＦ４）等のイオン化しやすい材料を用いることができる。電解液の溶媒としては、炭酸エチレン（ＥＣ）、炭酸ジエチル（ＤＥＣ）、炭酸ジメチル（ＤＭＣ）、ＥＣとＤＥＣとの混合物、ＥＣとＤＭＣとの混合物、炭酸プロピレン等を用いることができる。また、これらにポリビニルブチラール等を溶解させたゲルを用いてもよい。さらに、例えば環状四級アンモニウムカチオンとイミドアニオンからなるイオン液体を用いてもよい。
【００７２】
電解質層１６は、固体電界質から構成されてもよい。例えば、リチウム塩を含むポリエチレンオキサイドのような固体電解質を用いてもよいし、柔粘性結晶を用いてもよい。
【００７３】
［スペーサ］
電解質層１６が、電解液等の低粘度材料から構成される場合、エレクトロクロミック素子は、第１透明基板１１と第２透明基板１２との距離（セル厚）を規定するためのスペーサを備えていてもよい。スペーサは、感光性樹脂材料を用いてフォトリソ工程により形成することができる。スペーサは、例えば１０μｍ角で１０μｍの高さを有する。スペーサの形成方法は、フォトリソ工程に限定されず、例えばスクリーン印刷法であってもよい。
【００７４】
電解質層１６が固体電解質から構成される場合、固体電解質が適度な弾性を有していれば、スペーサを設ける必要はない。
【００７５】
［シール部］
シール部３の材料としては、公知の種々の材料を用いることができ、例えばＵＶ硬化型の樹脂材料を用いることができる。
【００７６】
なお、本実施形態の調光フィルム１００は、周辺領域２がサイズ調整代領域ＳＲを含んでいるため、比較的大きな窓に貼り付けられる場合（サイズ調整代領域ＳＲがそれほど大きく除去されない場合）、シール部３がグレージングチャンネル等で覆われない可能性がある。そのため、シール部３が視認されることを防止する観点からは、シール部３の材料として、シール部３と調光領域１との色差がなるべく小さくなるものを用いることが好ましい。具体的には、調光領域１とシール部３との色差（Ｌ＊ａ＊ｂ＊表色系における色差）ΔＥ＊は、３．２以下であることが好ましい。
【００７７】
［製造方法］
エレクトロクロミック素子を含む調光フィルム１００を製造する際、液晶パネルや色素増感型太陽電池等の製造に用いられる種々の方法・工程を用いることができる。第１透明基板１１および第２透明基板１２としてプラスチック基板（樹脂基板）を用いる場合には、ロール・ツー・ロール法によって貼り合せ工程を連続的に行うことができるので、製造コストを低減することが可能である。また、一連の工程を脱酸素乾燥雰囲気下で行うことにより、エレクトロクロミック素子の信頼性を向上させることができる。
【００７８】
［他のエレクトロクロミック材料］
なお、本実施形態では、エレクトロクロミック材料として金属酸化物ナノ粒子を含むナノ結晶層を備えた（金属酸化物ナノ粒子のＬＳＰＲを利用する）エレクトロクロミック素子を例示したが、エレクトロクロミック素子は、このタイプに限定されるものではない。例えば、酸化還元反応によって光透過率が変化するエレクトロクロミック材料を用いたエレクトロクロミック素子を調光領域１に用いてもよい。
【００７９】
（実施形態２）
図９を参照しながら、本実施形態における調光フィルム２００を説明する。図９は、調光フィルム２００を模式的に示す断面図である。以下では、本実施形態の調光フィルム２００が実施形態１における調光フィルム１００と異なる点を中心に説明を行う。
【００８０】
本実施形態の調光フィルム２００では、図９に示すように、シール部３のサイズ調整代領域ＳＲ内に位置する部分は、第１シール領域３ａと、第１シール領域３ａの外側に位置する第２シール領域３ｂとを含んでいる。第１シール領域３ａは、シール部３の最小幅Ｗｍを有する部分と同じシール材（以下「第１シール材」）から形成されており、最小幅Ｗｍと同じ幅を有する。第２シール領域３ｂは、第１シール領域３ａとは異なる工程で（つまり別途に）形成されている。第２シール領域３ｂは、例えば、貼り合わせ後の第１透明基板１１と第２透明基板１２との間（第１透明電極１３と第２透明電極１４との間）にシール材（以下「第２シール材」）として樹脂材料を流し込んで硬化させることにより、形成され得る。
【００８１】
シール部３を形成するための装置の仕様等によっては、シール部３の幅を部分的に異なるよう形成することが難しい場合がある。その場合には、本実施形態のような構成を採用してシール部３の幅を調整してもよい。第１シール領域３ａを形成するための第１シール材と、第２シール領域３ｂを形成するための第２シール材とは、同じ材料であってもよいし、異なる材料であってもよい。
【００８２】
また、図示している例では、サイズ調整代領域ＳＲは非シール部４を含まない（つまりＷｓ＝Ｗｓ’である）。このように、周辺領域２は、非シール部４が存在しない部分を含んでもよい。
【００８３】
（実施形態３）
図１０、図１１および図１２を参照しながら、本実施形態における調光フィルム３００Ａ、３００Ｂおよび３００Ｃを説明する。図１０、図１１および図１２は、それぞれ調光フィルム３００Ａ、３００Ｂおよび３００Ｃを模式的に示す平面図である。
【００８４】
本実施形態の調光フィルム３００Ａ、３００Ｂおよび３００Ｃは、調光領域１が非矩形状である点において、実施形態１における調光フィルム１００と異なっている。
【００８５】
図１０に示す調光フィルム３００Ａでは、調光領域１は、矩形の１辺が円弧に置換された（つまり湾曲した辺を含む）形状を有する。図１１に示す調光フィルム３００Ｂでは、調光領域１は、略円形状であり、シール部３は、略円形枠状である。図１２に示す調光フィルム３００Ｃでは、調光領域１は、略台形状であり、シール部３は、略台形枠状である。
【００８６】
図１０、図１１および図１２に示す調光フィルム３００Ａ、３００Ｂおよび３００Ｃにおいても、周辺領域２の、シール部３の最小幅Ｗｍよりも大きな幅Ｗｓを有する部分をサイズ調整代領域ＳＲとして用いることにより、フィルムサイズを調整することができる。
【００８７】
このように、調光領域１の形状は、略矩形状であってもよいし、非矩形状であってもよい。また、シール部３の形状も、略矩形枠状であってもよいし、なくてもよい。さらに、調光フィルム全体の形状も、略矩形状であってもよいし、図１２に示す調光フィルム３００Ｃのように、非矩形状であってもよい。
【００８８】
（実施形態４）
図１３および図１４を参照しながら、本実施形態における調光フィルム４００を説明する。図１３および図１４は、調光フィルム４００を模式的に示す平面図および断面図である。図１４は、図１３中の１４Ａ−１４Ａ’線に沿った断面を示している。
【００８９】
調光フィルム４００では、第１取り出し電極１７は、周辺領域２の第４辺部（右辺部）２ｄに配置されており、第２取り出し電極１８は、周辺領域２の第３辺部（左辺部）２ｃに配置されている。つまり、第２取り出し電極１８は、周辺領域２のうちの第１取り出し電極１７が配置されている領域と異なる領域に配置されている。
【００９０】
シール部３のうちの、調光領域１と第１取り出し電極１７との間に位置する部分（つまり第４辺部２ｄ内に位置する部分）の幅Ｗｍ１、および、調光領域１と第２取り出し電極１８との間に位置する部分（つまり第３辺部２ｃ内に位置する部分）の幅Ｗｍ２は、それぞれサイズ調整代領域ＳＲの幅Ｗｓよりも小さい。
【００９１】
幅Ｗｍ１および幅Ｗｍ２は、互いに同じであってもよいし、互いに異なっていてもよい。幅Ｗｍ１および／または幅Ｗｍ２は、シール部３の最小幅である。そのため、シール部３の、サイズ調整代領域ＳＲ内に位置する部分の幅Ｗｓ’は、幅Ｗｍ１および幅Ｗｍ２のそれぞれよりも大きいことが好ましい。
【００９２】
なお、第１透明基板１１の、第２取り出し電極１８に対向する部分には第１透明電極１３が存在しない（除去されている）ことが好ましく、第２透明基板１２の、第１取り出し電極１７に対向する部分には第２透明電極１４が存在しない（除去されている）ことが好ましい。
【００９３】
（実施形態５）
図１５（ａ）および（ｂ）を参照しながら、本実施形態における調光フィルム５００を説明する。図１５（ａ）は、調光フィルム５００を模式的に示す断面図であり、図１５（ｂ）は、調光フィルム５００のサイズ調整代領域ＳＲを上方から見た図である。
【００９４】
本実施形態の調光フィルム５００は、図１５（ａ）および（ｂ）に示すように、サイズ調整代領域ＳＲが、少なくとも１つの（ここでは複数の）貫通孔６を有する点において、実施形態１の調光フィルム１００と異なっている。図示している例では、貫通孔６は、第１透明基板１１、第１透明電極１３、シール部３、第２透明電極１４および第２透明基板１２を貫通するように形成されている。貫通孔６は、調光フィルム５００を何かに取り付けるための糸等を通すのに用いることができる。このような貫通孔６を設けることにより、調光フィルム５００の取付け方のバリエーションを増やすことができる。
【００９５】
電解質の漏洩を防ぐ観点からは、貫通孔６から調光領域１までの距離Ｄは、シール部３の最小幅Ｗｍよりも大きいことが好ましい。
【００９６】
なお、貫通孔６は、非シール部４に形成されていてもよい。
【００９７】
（実施形態６）
図１６を参照しながら、本実施形態における調光フィルム６００を説明する。図１６は、調光フィルム６００を模式的に示す断面図である。
【００９８】
本実施形態の調光フィルム６００は、図１６に示すように、サイズ調整代領域ＳＲにおける第１透明基板１１の面積と第２透明基板１２の面積とが異なる点において、実施形態１の調光フィルム１００と異なっている。
【００９９】
図示している例では、サイズ調整代領域ＳＲにおいて、第１透明基板１１のシール部３に重なっていない領域１１ａの面積が、第２透明基板１２のシール部３に重なっていない領域１２ａの面積よりも大きい。つまり、調光フィルム６００をその法線方向から見たとき、第１透明基板１１の方が、第２透明基板１２よりもシール部３から大きくはみ出している。以下では、第１透明基板１１および第２透明基板１２のシール部３に重なっていない領域１１ａおよび１２ａを、「はみ出し部」とも呼ぶ。
【０１００】
本実施形態の調光フィルム６００では、第１透明基板１１および第２透明基板１２のはみ出し部１１ａおよび１２ａの一方（ここでは第１透明基板１１のはみ出し部１１ａ）のみが存在する領域で切断を行うことにより、切断によるサイズ調整が容易となる。
【０１０１】
なお、ここでは、第１透明基板１１のはみ出し部１１ａの面積が第２透明基板１２のはみ出し部１２ａの面積よりも大きい場合を例示したが、これとは逆に、第２透明基板１２のはみ出し部１２ａの面積が第１透明基板１１のはみ出し部１１ａの面積よりも大きくてもよい。
【０１０２】
［第１、第２透明電極を電源に接続するための配線構造］
ここで、第１透明電極１３および第２透明電極１４を電源１９に電気的に接続するための配線構造を説明する。
【０１０３】
図１７に、そのような配線構造の例を示す。図１７に示す例では、第１透明基板１１および第２透明基板１２は、周辺領域２の第１辺部（下辺部）２ａにおいて、一部が切り欠かれている。第１透明基板１１と第２透明基板１２とは、左右が反転したパターンで切り欠かれており、そのことによって、周辺領域２の第１辺部２ａでは、第１透明基板１１と第２透明基板１２とが調光領域１の厚さ方向において重ならない領域、言い換えると、第１透明電極１３と第２透明電極１４とが調光領域１の厚さ方向において重ならない領域が存在している。具体的には、第１透明電極１３のみが位置し得る領域（図中の右下の右下がりのハッチングを付した領域）２ａ１と、第２透明電極１４のみが位置し得る領域（図中の左下の左下がりのハッチングを付した領域）２ａ２とが存在する。そのため、これらの領域２ａ１および２ａ２（以下ではそれぞれ「第１領域」および「第２領域」とも呼ぶ）において、第１取り出し電極１７および第２取り出し電極１８（ここでは不図示）をそれぞれ配線１９ａに接続することにより、第１透明電極１３および第２透明電極１４のそれぞれと電源１９との電気的な接続を好適に行うことができる。
【０１０４】
また、周辺領域２の第１領域２ａ１と第２透明電極１４とが調光領域１の厚さ方向において重ならないように、第２透明電極１４は、シール部３から調光領域１の外側に延びる部分を設けられないことが好ましい。また、周辺領域２の第２領域２ａ２と第１透明電極１３とが調光領域１の厚さ方向において重ならないように、第１透明電極１３は、シール部３から調光領域１の外側に延びる部分を設けられないことが好ましい。
【０１０５】
図１８に、配線構造の他の例を示す。図１８に示す例では、第１透明電極１３および第２透明電極１４のそれぞれと電源１９との電気的な接続のために、接続シート４０が用いられている。
【０１０６】
接続シート４０は、絶縁層（絶縁フィルム）４１と、絶縁層４１の一方の主面上に形成された導電層４２と、絶縁層４１の他方の主面上に形成された導電層４３とを有する。絶縁層４１の材料としては、ＰＥＴなどの耐候性、耐熱性および透明性に優れた絶縁材料を用いることが好ましい。絶縁層４１の厚さは、例えば１０〜２０μｍである。導電層４２および４３の材料としては、例えばアルミニウムや銅などの金属材料を用いることができる。
【０１０７】
導電層４２と第１取り出し電極１７との接続、および、導電層４３と第２取り出し電極１８との接続は、例えば、図示しているように、厚さ方向にのみ導電性を有する異方性導電フィルム（ACF：Anisotropic Conductive Film）４５を用いた圧着により行うことができる。また、異方性導電フィルム４５に代えて導電テープを用いた貼り付けにより接続を行うこともできる。導電層４２および４３のそれぞれと電源１９とは、配線１９ａにより接続される。
【０１０８】
図１８に示したような接続シート４０を用いて接続を行うと、図１７に示したように基板を切り欠くことなく短絡を好適に防止することができる。
【０１０９】
（実施形態７）
図１９を参照しながら、本実施形態におけるスマートウィンドウ７００Ａを説明する。図１９は、スマートウィンドウ７００Ａを模式的に示す断面図である。
【０１１０】
スマートウィンドウ７００Ａは、図１９に示すように、透光板（ここではガラス板）２１と、ガラス板２１に貼り合わされた調光フィルム１００と、ガラス板２１を支持する框２２とを備える。
【０１１１】
スマートウィンドウ７００Ａでは、調光フィルム１００の、シール部３が最小幅Ｗｍとなる方の端部を、ガラス板２１の端部に合わせて配置し、その反対側の端部に設けられているサイズ調整代領域ＳＲを折り曲げることによってフィルムサイズが調整されている。図示している例では、折り曲げられたサイズ調整代領域ＳＲは、固定具２３によって框２２に固定される。なお、ここでは框２２によってガラス板２１が直接支持される構成を例示したが、ガラス板２１は、グレージングチャンネル等を介して框２２に支持されてもよい。
【０１１２】
なお、サイズ調整代領域ＳＲを折り曲げる場合、第１透明電極１３および第２透明電極１４は、サイズ調整代領域ＳＲには位置していない（もともと形成されていないか、または、エッチング等により除去されている）ことが好ましい。第１透明電極１３および第２透明電極１４が、サイズ調整代領域ＳＲに位置していないことにより、サイズ調整代領域ＳＲが折り曲げられたときの第１透明電極１３と第２透明電極１４との短絡を防止することができる。
【０１１３】
図２０に、本実施形態における他のスマートウィンドウ７００Ｂを示す。図２０に示すスマートウィンドウ７００Ｂでは、調光フィルム１００のサイズ調整代領域ＳＲが折り畳まれる（図示している例では内側に折り畳まれる）ことによってフィルムサイズの調整が行われている。折り畳まれたサイズ調整代領域ＳＲは、例えば、ラミネート樹脂を用いてガラス板２１および／または框２２に固定することができる。
【０１１４】
（実施形態８）
図２１および図２２を参照しながら、本実施形態におけるビニールハウス８００を説明する。図２１および図２２は、それぞれビニールハウス８００を模式的に示す斜視図および断面図である。
【０１１５】
本実施形態のビニールハウス８００は、図２１および図２２に示すように、躯体３０と、躯体３０に取り付けられた透明シート３１と、透明シート３１に重なるように配置された調光フィルム５００とを備える。
【０１１６】
躯体３０は、例えば鋼管を組み合わせて構成されている。
【０１１７】
透明シート３１は、躯体３０に張り渡されている。透明シート３１は、例えばポリ塩化ビニルシートである。
【０１１８】
調光フィルム５００は、図示している例では、透明シート３１の外側に配置されている。調光フィルム５００は、サイズ調整代領域ＳＲの非シール部４に形成された貫通孔を有しており、貫通孔に通された糸８によって、躯体３０に固定されている。そのため、調光フィルム５００は、シール部３ではほとんど湾曲していない。
【０１１９】
本実施形態におけるビニールシート８００は、調光フィルム５００を備えていることにより、近赤外光の透過率を調節して日射熱取得率を制御することができる。
【０１２０】
［調光領域の他の例］
これまでの説明では、エレクトロクロミック素子を含む調光領域１を例示したが、調光領域１は、印加電圧に応じて光学特性が変化するものであればよい。例えば、調光領域１は、ＰＤＬＣ（高分子分散型液晶）素子を含んでもよい。ＰＤＬＣ素子の具体的な構成としては、公知の種々の構成を用いることができる。
【０１２１】
なお、ビニールハウス等のように、近赤外光の透過率を制御する用途の場合には、調光領域１に、ＰＤＬＣ素子よりもエレクトロクロミック素子を用いることが好ましい。
【産業上の利用可能性】
【０１２２】
本開示の実施形態によると、多様なサイズの物に用いることができる調光フィルムを提供することができる。本開示の実施形態による調光フィルムは、スマートウィンドウやビニールハウスに好適に用いられる。
【符号の説明】
【０１２３】
１    調光領域
２    周辺領域
２ａ    第１辺部（下辺部）
２ｂ    第２辺部（上辺部）
２ｃ    第３辺部（左辺部）
２ｄ    第４辺部（右辺部）
３    シール部
３ａ    第１シール領域
３ｂ    第２シール領域
４    非シール部
６    貫通孔
８    糸
１１    第１透明基板
１２    第２透明基板
１３    第１透明電極
１４    第２透明電極
１５    ナノ結晶層
１６    電解質層
１７    第１取り出し電極
１８    第２取り出し電極
１９    電源
１９ａ    配線
２１    透光板（ガラス板）
２２    框
２３    固定具
３０    躯体
３１    透明シート
４０    接続シート
４１    絶縁層
４２、４３    導電層
４５    異方性導電フィルム
１００、２００、３００Ａ、３００Ｂ、３００Ｃ    調光フィルム
４００、５００、６００    調光フィルム
７００Ａ、７００Ｂ    スマートウィンドウ
８００    ビニールハウス
ＳＲ    サイズ調整代領域
【図１】
2019168625.tif 000003
【図２】
2019168625.tif 000004
【図３】
2019168625.tif 000005
【図４】
2019168625.tif 000006
【図５】
2019168625.tif 000007
【図６】
2019168625.tif 000008
【図７】
2019168625.tif 000009
【図８】
2019168625.tif 000010
【図９】
2019168625.tif 000011
【図１０】
2019168625.tif 000012
【図１１】
2019168625.tif 000013
【図１２】
2019168625.tif 000014
【図１３】
2019168625.tif 000015
【図１４】
2019168625.tif 000016
【図１５】
2019168625.tif 000017
【図１６】
2019168625.tif 000018
【図１７】
2019168625.tif 000019
【図１８】
2019168625.tif 000020
【図１９】
2019168625.tif 000021
【図２０】
2019168625.tif 000022
【図２１】
2019168625.tif 000023
【図２２】
2019168625.tif 000024